(57)【要約】【課題】  来訪したことを告げるインターホン装置において、既設のインターホンに機能追加及び機器の追加を行うことなく、非電気的方法で来訪者があることを検出する。【解決手段】  既設インターホン装置３の呼鈴音鳴動部３３の近傍にこの呼鈴の鳴動を音で検知する呼鈴音検出センサ２を設ける。インターホン本体部１は、この呼鈴音検出センサ２の検知により来訪者が呼鈴ボタン３１を押下したことを認識する。【選択図】      図１
2006094366.tif 000002
【特許請求の範囲】
【請求項１】
既設インターホン装置の呼鈴の近傍に設け前記呼鈴の鳴動を検知する検知手段と、前記検知手段の検知により来訪者が前記呼鈴を押下したことを認識する認識手段を有するインターホン本体部とを備えることを特徴とするインターホン装置。
【請求項２】
前記検知手段は音センサであることを特徴とする請求項１記載のインターホン装置。
【請求項３】
来訪者が家人と会話するためのマイクロホン及びスピーカを備えることを特徴とする請求項１または２記載のインターホン装置。
【請求項４】
来訪者を撮影するためのカメラを備えることを特徴とする請求項３記載のインターホン装置。
【請求項５】
前記インターホン本体部は、予め設定された撮影間隔と撮影枚数に従い自身に有するカメラあるいは既設インターホン装置に有するカメラによって来訪者撮影を行わせる手段と、前記カメラによって撮影された画像を携帯電話端末に表示可能なファイル形式に編集する手段と、前記カメラの撮影開始と共に指定された携帯電話端末へ電子メールにより撮影画像を添付ファイルとして送信するための接続を行う手段と、予め設定された情報により撮影画像の電子メール送信処理実施の要否を判断する手段とを備えることを特徴とする請求項１記載のインターホン装置。
【請求項６】
前記インターホン本体部は、予め設定された時刻を検出し自身のプログラムバージョンを管理するサーバに接続し、前記サーバで管理されている当該インターホン装置のプログラムのバージョンと自身のプログラムのバージョンとを比較し、前記サーバでバージョンが更新されている場合には前記サーバより最新のプログラムを取得する手段を備えることを特徴とする請求項１又は５記載のインターホン装置。
【請求項７】
遠隔に設けたインターホン装置のプログラムを管理するサーバであって、前記インターホン装置に係わる最新のプログラム及びバージョン情報を保持し、前記インターホン装置からの要求に基づき当該プログラムを配信する手段を備えることを特徴とするサーバ。
【請求項８】
請求項６記載のインターホン装置と、請求項７記載のサーバとを有することを特徴とするインターホン管理システム。
【請求項９】
前記インターホン本体部は、インターホン装置の呼鈴の検知状況をタイムスタンプ情報と共に記録し、その記録を読み出す手段を備えることを特徴とする請求項１記載のインターホン装置。
【請求項１０】
前記インターホン本体部は、前記インターホン装置の使用状況をタイムスタンプ情報と共に記録し、その記録を読み出す手段を備えることを特徴とする請求項５記載のインターホン装置。
【請求項１１】
前記使用状況は、携帯電話端末へ送信したカメラ撮影画像、電子メールの送信に要した時間、音声通話を行った時間であることを特徴とする請求項１０記載のインターホン装置。
【請求項１２】
既設インターホン装置の呼鈴が設置されている近傍に設け前記呼鈴の鳴動を検知する音センサと、前記音センサの検知により来訪者が前記呼鈴を押下したことを認識する呼鈴音認識部と予め制御プログラム用メモリに格納されたプログラムを読み出しインターホン全体の動作を制御するＣＰＵとを有するインターホン本体部とを備えることを特徴とするインターホン装置。
【請求項１３】
前記インターホン本体部は、静止画像を撮影する回数，撮影時間間隔，携帯電話端末の表示部に表示可能な一画面分の静止画像に編集するための情報を記憶しているカメラ画像撮影情報用メモリを参照し指定に基づきカメラ撮影を行わせるカメラ画像撮影部と、前記カメラ画像撮影情報用メモリを参照し指定に基づき撮影画像を編集するカメラ画像編集部と、電子メールによる静止画像の送信可否を判断する電子メール音声通話処理判定部と、電子メールを送信するために必要な情報を記憶しておく電子メール送信先接続情報用メモリを参照し指定の宛先に電子メールで静止画像を送信する電子メール送信部と、携帯電話端末とインターホン装置との間で音声通話を行うためのインターホン携帯電話音声通話部とを備えることを特徴とする請求項１２記載のインターホン装置。
【請求項１４】
前記インターホン本体部は、前記制御プログラムのバージョンを管理するサーバとの接続情報を予め記憶させておく制御プログラムバージョン管理サーバ情報用メモリを参照しこのサーバとの接続処理を行い、前記サーバで管理されている自身の制御プログラムとのバージョンの比較を行って前記サーバの方が新しいバ−ジョンの場合には、前記サーバから最新の制御プログラムのダウンロードを行う制御プログラム自動ダウンロード判定部を備えることを特徴とする請求項１２記載のインターホン装置。
【請求項１５】
携帯電話端末との音声通話を行うインターホン装置における通話方法であって、既設インターホン装置の呼鈴の近傍に設けた音センサによって来訪者による呼鈴押下を認識するステップと、この認識により来訪者撮影を指示するステップと、カメラによって撮影された画像を受信するステップと、この受信した画像を電子メールに添付可能なように編集するステップと、前記認識時に来訪者があることを通知するため携帯電話端末へのメール送信の要否を判定するステップと、この判定でメール送信が必要な場合には前記画像の編集が終了した時点で予め設定した宛先に編集した画像を添付しメール送信するステップと、このメール送信後に来訪者と携帯電話端末使用者との音声通話を行うための接続を行うステップとを有することを特徴とするインターホン装置における通話方法。
【請求項１６】
前記判定でメール送信が不要の場合には、直ちに前記音声通話を行うステップを有することを特徴とする請求項１５記載のインターホン装置における通話方法。
【発明の詳細な説明】
【技術分野】
【０００１】
本発明は、留守宅等への来訪者の情報を外出先の家人に転送可能なインターホン装置、サーバ、インターホン管理システム及びインターホン装置における通話方法に関する。
【背景技術】
【０００２】
従来のインターホン装置は、来訪したことを告げるカメラ付きドアホン子機と、そのドアホン子機の呼鈴信号を電気的に検知するインターホン親機から構成される（例えば、特許文献１参照）。または、室外側に設置される呼鈴ボタンと室内側に設置される呼鈴鳴動部から構成されている。このような構成の既設のインターホン装置が用いられている状況で、携帯電話端末が一般的に利用されている現在では、次のような機能を追加したい場合がある。つまり、呼鈴が押下されたことをトリガとし来訪者の画像をカメラで撮影する。そして、その画像を例えば家人の外出先の携帯電話端末へ送信し、インターホン装置と携帯電話端末との間で音声通話を可能としたいということである。このような場合、既設のインターホン装置をそのままにして前述のドアホン子機と連動するインターホン親機を新規に設置するという方法をとらざるを得ない。また、上述したようなインターホン装置に対し新たな機能を追加する場合や、不具合が発生した場合には、インターホン親機を交換する以外に手段がなかった。
【０００３】
図４及び図５は上述した従来のインターホン装置の構成を示す図である。図４において、来訪者が呼鈴ボタン４１を押下し来訪したことを告げると、インターホン装置４のインターホン本体部４６に接続された呼鈴鳴動部４２が鳴動する。同時にカメラ４３で撮影し、家人は室内のインターホン本体部４６の画像表示部４７でその撮影された画像を見ることができる。一方、来訪者はマイク４４とスピーカ４５を使用して家人と会話することができる。また、図５においては、来訪者がインターホン装置５の呼鈴ボタン５１を押下し来訪したことを告げると、呼鈴鳴動部５２が鳴動する。
【０００４】
また、本発明に関連する技術として、次のような例がある。来客者の訪問時、撮影した画像を電子メールに添付し、予め設定された宛先へ送信すると共に、予め設定された音声端末に玄関子機との通話を行うことが可能なテレビドアホンが開示されている（例えば、特許文献２参照）。また、特許文献３には、端末のソフトウェアのバージョン情報をサーバ上の最新のバージョン情報と比較する。両方の情報が不一致の場合には、サーバ上の最新バージョンのソフトウェアを端末側に自動的にダウンロードする技術が開示されている。
【０００５】
【特許文献１】特開２００１−１５５２７８号公報（段落番号００１０，００３２）
【特許文献２】特開２００２−２８１１６２号公報（段落番号０００５）
【特許文献３】特開２００３−２１６４３０号公報（段落番号００１１）
【発明の開示】
【発明が解決しようとする課題】
【０００６】
上述したような既設のインターホン装置に対して、携帯電話端末への画像を送信する機能、インターホン装置と携帯電話端末との間での通話を可能とする機能を追加する場合には、以下のような問題がある。
【０００７】
第１の問題点は、既設のインターホン装置に対して、インターホン装置と携帯電話端末との間で音声通話機能を有するインターホン機能を容易に追加できないことである。その理由は、インターホン親機とドアホン子機が電気的に接続されており、親機と子機が電気信号で連動する仕組みになっているからである。
【０００８】
第２の問題点は、インターホン機能を更新する場合、インターホン装置を交換するか、もしくはインターホン装置に内蔵のメモリを交換する以外手段がなかった。その理由は、インターホン装置には自身のプログラムのバージョンを管理するサーバとの通信機能及びサーバから最新のプログラムをダウンロードする機能が備わっていないからである。
【０００９】
また上述した特許文献２及び３のいずれにも、既設のインターホン装置を利用し、その鳴動を直接検知して、来訪者を認識することについては開示されていない。
【００１０】
本発明の第１の目的は、既設のインターホンに機能追加及び機器の追加を行うことなく、既設のインターホンの呼鈴音を鳴動検知手段で検知することにより、非電気的方法で来訪者の検出ができるインターホン装置、サーバ、インターホン管理システム及びインターホン装置における通話方法を提供することにある。
【００１１】
また、本発明の第２の目的は、既設のインターホンに機能追加及び機器の追加を行うことなく、来訪者の映像を、携帯電話端末に表示可能な画像に編集し、電子メールによって送信し、電子メール送信終了と共に携帯電話とインターホン装置との間での音声通話を可能とするインターホン装置、サーバ、インターホン管理システム及びインターホン装置における通話方法を提供することにある。
【００１２】
また、本発明の第３の目的は、前述した機能を実現するプログラムの更新を自動的に行うことが可能なインターホン装置、サーバ、インターホン管理システム及びインターホン装置における通話方法を提供することにある。
【課題を解決するための手段】
【００１３】
本発明のインターホン装置は、既設インターホン装置の呼鈴の近傍に設け前記呼鈴の鳴動を検知する検知手段と、前記検知手段の検知により来訪者が前記呼鈴を押下したことを認識する認識手段を有するインターホン本体部とを備える。前記検知手段は音センサである。
【００１４】
また、本発明のインターホン装置は、来訪者が家人と会話するためのマイクロホン及びスピーカを備える構成としてもよい。さらに、来訪者を撮影するためのカメラを備える構成としてもよい。
【００１５】
また、本発明のインターホン装置は、既設インターホン装置の呼鈴の近傍に設け前記呼鈴の鳴動を検知する検知手段と、前記検知手段の検知により来訪者が前記呼鈴を押下したことを認識する認識手段を有するインターホン本体部とを備え、前記インターホン本体部は、予め設定された撮影間隔と撮影枚数に従い自身に有するカメラあるいは既設インターホン装置に有するカメラによって来訪者撮影を行わせる手段と、前記カメラによって撮影された画像を携帯電話端末に表示可能なファイル形式に編集する手段と、前記カメラの撮影開始と共に指定された携帯電話端末へ電子メールにより撮影画像を添付ファイルとして送信するための接続を行う手段と、予め設定された情報により撮影画像の電子メール送信処理実施の要否を判断する手段とを備える。
【００１６】
また、本発明のインターホン装置は、既設インターホン装置の呼鈴の近傍に設け前記呼鈴の鳴動を検知する検知手段と、前記検知手段の検知により来訪者が前記呼鈴を押下したことを認識する認識手段を有するインターホン本体部とを備え、前記インターホン本体部は、予め設定された時刻を検出し自身のプログラムバージョンを管理するサーバに接続し前記サーバで管理されている当該インターホン装置のプログラムのバージョンと自身のプログラムのバージョンとを比較し前記サーバでバージョンが更新されている場合には前記サーバより最新のプログラムを取得する手段を備える。
【００１７】
また、本発明のインターホン装置は、既設インターホン装置の呼鈴の近傍に設け前記呼鈴の鳴動を検知する検知手段と、前記検知手段の検知により来訪者が前記呼鈴を押下したことを認識する認識手段を有するインターホン本体部とを備え、前記インターホン本体部は、予め設定された撮影間隔と撮影枚数に従い自身に有するカメラあるいは既設インターホン装置に有するカメラによって来訪者撮影を行わせる手段と、前記カメラによって撮影された画像を携帯電話端末に表示可能なファイル形式に編集する手段と、前記カメラの撮影開始と共に指定された携帯電話端末へ電子メールにより撮影画像を添付ファイルとして送信するための接続を行う手段と、予め設定された情報により撮影画像の電子メール送信処理実施の要否を判断する手段と、予め設定された時刻を検出し自身のプログラムバージョンを管理するサーバに接続し前記サーバで管理されている当該インターホン装置のプログラムのバージョンと自身のプログラムのバージョンとを比較し前記サーバでバージョンが更新されている場合には前記サーバより最新のプログラムを取得する手段とを備える。
【００１８】
本発明のサーバは、遠隔に設けたインターホン装置のプログラムを管理するサーバであって、前記インターホン装置に係わる最新のプログラム及びバージョン情報を保持し、前記インターホン装置からの要求に基づき当該プログラムを配信する手段を備える。
【００１９】
本発明のインターホン管理システムは、既設インターホン装置の呼鈴の近傍に設け前記呼鈴の鳴動を検知する検知手段と、前記検知手段の検知により来訪者が前記呼鈴を押下したことを認識する認識手段を有するインターホン本体部とを備え、前記インターホン本体部は、予め設定された撮影間隔と撮影枚数に従い自身に有するカメラあるいは既設インターホン装置に有するカメラによって来訪者撮影を行わせる手段と、前記カメラによって撮影された画像を携帯電話端末に表示可能なファイル形式に編集する手段と、前記カメラの撮影開始と共に指定された携帯電話端末へ電子メールにより撮影画像を添付ファイルとして送信するための接続を行う手段と、予め設定された情報により撮影画像の電子メール送信処理実施の要否を判断する手段と、予め設定された時刻を検出し自身のプログラムバージョンを管理するサーバに接続し前記サーバで管理されている当該インターホン装置のプログラムのバージョンと自身のプログラムのバージョンとを比較し前記サーバでバージョンが更新されている場合には前記サーバより最新のプログラムを取得する手段とを備えるインターホン装置と、遠隔に設けたインターホン装置のプログラムを管理するサーバであって、前記インターホン装置に係わる最新のプログラム及びバージョン情報を保持し、前記インターホン装置からの要求に基づき当該プログラムを配信する手段を備えるサーバとを有する。
【００２０】
また、本発明のインターホン装置は、既設インターホン装置の呼鈴の近傍に設け前記呼鈴の鳴動を検知する検知手段と、前記検知手段の検知により来訪者が前記呼鈴を押下したことを認識する認識手段を有するインターホン本体部とを備え、前記インターホン本体部は、インターホン装置の呼鈴の検知状況をタイムスタンプ情報と共に記録し、その記録を読み出す手段を備える。
【００２１】
また、本発明のインターホン装置は、既設インターホン装置の呼鈴の近傍に設け前記呼鈴の鳴動を検知する検知手段と、前記検知手段の検知により来訪者が前記呼鈴を押下したことを認識する認識手段を有するインターホン本体部とを備え、前記インターホン本体部は、予め設定された撮影間隔と撮影枚数に従い自身に有するカメラあるいは既設インターホン装置に有するカメラによって来訪者撮影を行わせる手段と、前記カメラによって撮影された画像を携帯電話端末に表示可能なファイル形式に編集する手段と、前記カメラの撮影開始と共に指定された携帯電話端末へ電子メールにより撮影画像を添付ファイルとして送信するための接続を行う手段と、予め設定された情報により撮影画像の電子メール送信処理実施の要否を判断する手段とを備え、前記インターホン本体部は、前記インターホン装置の使用状況をタイムスタンプ情報と共に記録し、その記録を読み出す手段を備える。前記使用状況は、携帯電話端末へ送信したカメラ撮影画像、電子メールの送信に要した時間、音声通話を行った時間である。
【００２２】
また、本発明のインターホン装置は、既設インターホン装置の呼鈴が設置されている近傍に設け前記呼鈴の鳴動を検知する音センサと、前記音センサの検知により来訪者が前記呼鈴を押下したことを認識する呼鈴音認識部と予め制御プログラム用メモリに格納されたプログラムを読み出しインターホン全体の動作を制御するＣＰＵとを有するインターホン本体部とを備える。
【００２３】
また、本発明のインターホン装置は、既設インターホン装置の呼鈴が設置されている近傍に設け前記呼鈴の鳴動を検知する音センサと、前記音センサの検知により来訪者が前記呼鈴を押下したことを認識する呼鈴音認識部と予め制御プログラム用メモリに格納されたプログラムを読み出しインターホン全体の動作を制御するＣＰＵ（Ｃｅｎｔｒａｌ  Ｐｒｏｃｅｓｓｉｎｇ  Ｕｎｉｔ）とを有するインターホン本体部とを備え、前記インターホン本体部は、静止画像を撮影する回数，撮影時間間隔，携帯電話端末の表示部に表示可能な一画面分の静止画像に編集するための情報を記憶しているカメラ画像撮影情報用メモリを参照し指定に基づきカメラ撮影を行わせるカメラ画像撮影部と、前記カメラ画像撮影情報用メモリを参照し指定に基づき撮影画像を編集するカメラ画像編集部と、電子メールによる静止画像の送信可否を判断する電子メール音声通話処理判定部と、電子メールを送信するために必要な情報を記憶しておく電子メール送信先接続情報用メモリを参照し指定の宛先に電子メールで静止画像を送信する電子メール送信部と、携帯電話端末とインターホン装置との間で音声通話を行うためのインターホン携帯電話音声通話部とを備える。
【００２４】
また、本発明のインターホン装置は、既設インターホン装置の呼鈴が設置されている近傍に設け前記呼鈴の鳴動を検知する音センサと、前記音センサの検知により来訪者が前記呼鈴を押下したことを認識する呼鈴音認識部と予め制御プログラム用メモリに格納されたプログラムを読み出しインターホン全体の動作を制御するＣＰＵとを有するインターホン本体部とを備え、前記インターホン本体部は、静止画像を撮影する回数，撮影時間間隔，携帯電話端末の表示部に表示可能な一画面分の静止画像に編集するための情報を記憶しているカメラ画像撮影情報用メモリを参照し指定に基づきカメラ撮影を行わせるカメラ画像撮影部と、前記カメラ画像撮影情報用メモリを参照し指定に基づき撮影画像を編集するカメラ画像編集部と、電子メールによる静止画像の送信可否を判断する電子メール音声通話処理判定部と、電子メールを送信するために必要な情報を記憶しておく電子メール送信先接続情報用メモリを参照し指定の宛先に電子メールで静止画像を送信する電子メール送信部と、携帯電話端末とインターホン装置との間で音声通話を行うためのインターホン携帯電話音声通話部と、前記制御プログラムのバージョンを管理するサーバとの接続情報を予め記憶させておく制御プログラムバージョン管理サーバ情報用メモリを参照しこのサーバとの接続処理を行い前記サーバで管理されている自身の制御プログラムとのバージョンの比較を行って前記サーバの方が新しいバ−ジョンの場合には前記サーバから最新の制御プログラムのダウンロードを行う制御プログラム自動ダウンロード判定部を備える。
【００２５】
本発明のインターホン装置における通話方法は、携帯電話端末との音声通話を行うインターホン装置における通話方法であって、既設インターホン装置の呼鈴の近傍に設けた音センサによって来訪者による呼鈴押下を認識するステップと、この認識により来訪者撮影を指示するステップと、カメラによって撮影された画像を受信するステップと、この受信した画像を電子メールに添付可能なように編集するステップと、前記認識時に来訪者があることを通知するため携帯電話端末へのメール送信の要否を判定するステップと、この判定でメール送信が必要な場合には前記画像の編集が終了した時点で予め設定した宛先に編集した画像を添付しメール送信するステップと、このメール送信後に来訪者と携帯電話端末使用者との音声通話を行うための接続を行うステップとを有する。前記判定でメール送信が不要の場合には、直ちに前記音声通話を行うステップを有する。
【００２６】
本発明によれば、既設インターホン装置の呼鈴鳴動部の近傍に設置される呼鈴音検出センサは、呼鈴ボタンが押されたことにより鳴動する呼鈴音を検出する。また、カメラ画像撮影部の指示により来訪者の映像を撮影し、カメラ画像編集部により携帯電話端末に表示可能な静止画像に編集する。編集した静止画像を電子メール送信部により携帯電話端末へ送信し、音声通話接続部及びインターホン携帯電話音声通話部により携帯電話端末とインターホンとの間での音声通話を可能とする。また、制御プログラム自動ダウンロード判定部により自動的に自身のプログラムの更新を行う。
【００２７】
従って、既に家屋にインターホン装置が設置されている場合でも、その装置と機械的、電気的なつながりをもつことなく、来訪者が呼鈴を押下したことを検出することができる。更に、来訪者の映像を携帯電話端末へ送信し、インターホンと携帯電話端末との間で音声通話を行うことができる。これにより、家を留守にしていても外出先で、来訪者の映像を見た上で、来訪者と通話を行うことができる。
【発明の効果】
【００２８】
本発明では、来訪者の検知を呼鈴が押されたことによる信号を電気信号でとらえるのではなく、既設のインターホンであれば必ず設置されている呼鈴の鳴動部の近傍にこの鳴動を検知する検知手段を設ける。この検知手段によって来訪者が呼鈴を押下したことを検知する。これにより、既設のインターホン装置を撤去せずに、既設のインターホン機能を利用して、来訪者のあることを知ることができる。
【発明を実施するための最良の形態】
【００２９】
次に、本発明を実施するための最良の形態について図面を参照して詳細に説明する。
【００３０】
図１は本発明の実施の形態を示す図である。図１を参照すると、本発明のインターホン装置１０が既設インターホン装置３とインタフェースしている。既設インターホン装置３は、来訪したことを告げる呼鈴ボタン３１と、呼鈴ボタン３１の押下を検出するインターホン本体部３２と、呼鈴ボタン３１が押下されたとき鳴動する呼鈴音鳴動部３３とを備える。本実施例では、既設インターホン装置３が、来訪者を撮影するためのカメラ３４、来訪者が家人と会話するためのマイク３５、スピーカ３６を備えている例を示している。なお、既設インターホン装置にこれらカメラ、マイク、スピーカが設備されていない場合には、本発明のインターホン装置の室外側に設けるようにすればよい。
【００３１】
インターホン装置１０は、インターホン本体部１と、呼鈴音検出センサ２を備える。呼鈴音検出センサ２は、既設インターホン装置３において呼鈴ボタン３１を来訪者が押下した時に鳴動する呼鈴の音を検出するセンサである。呼鈴検出センサ２は、呼鈴音鳴動部３３の近傍に設置しこの鳴動音を検出する。呼鈴音検出センサ２は、非電気的つまり、音で呼鈴音を検出するので、呼鈴音鳴動部３３と電気的な接続または機械的な接続を必要としない。従って、既設のインターホン装置を撤去あるいは既設の部分を改造することなく、そのまま流用することが可能となる。
【００３２】
図２は図１におけるインターホン本体部の詳細構成を示す図である。インターホン本体部１は、呼鈴音検出センサ２および既設インターホン装置３と接続されている。インターホン本体部１は、呼鈴音認識部１４と、カメラ画像撮影部１５と、カメラ画像編集部１６と、電子メール音声通話処理判定部１７と、電子メール送信部１８とを備える。インターホン本体部１は、更に、音声通話接続部１９と、インターホン携帯電話音声通話部２０と、制御プログラム自動ダウンロード判定部２１と、タイマ部２７と、各種メモリと、ＣＰＵ１１とを備える。
【００３３】
各種メモリとして、制御プログラム用メモリ１３と、カメラ画像撮影情報用メモリ２２と、制御プログラムバージョン管理サーバ情報用メモリ２３とがある。各種メモリとして、更に、電子メール送信先接続情報用メモリ２４と、音声通話接続情報用メモリ２５と、動作記録用メモリ２６とがある。上述した各部はバス１２によりＣＰＵ１１に接続されている。ＣＰＵ１１は、制御プログラム用メモリ１３から読み出した内容に基づき前述の各部を制御する。タイマ部２７は時間管理機能を有する。
【００３４】
呼鈴音認識部１４は、呼鈴音検出センサ２で呼鈴音を検出したときにその状態を電気信号に置き換える。カメラ画像撮影情報用メモリ２２は、静止画像を撮影するための回数、撮影時間間隔を予め記憶させておくためのメモリである。カメラ画像撮影部１５は、カメラ画像撮影情報用メモリ２２を参照し、この情報に基づきカメラで指定された枚数の画像を撮影させる。カメラ画像撮影情報用メモリ２２は、携帯電話端末の表示部に表示可能な一画面分の静止画像に編集するための情報を更に記憶させておくためのメモリである。カメラ画像編集部１６はカメラ画像撮影情報用メモリ２２の情報に基づき撮影した画像を編集する。
【００３５】
電子メール音声通話処理判定部１７は、電子メールによる静止画像の送信可否を判断する。電子メール送信先接続情報メモリ２４は、電子メールを送信するために必要な情報を記憶させておくためのメモリである。電子メール送信部１８は、電子メール送信先接続情報メモリ２４を参照し、この情報に基づき携帯電話端末に割り当てられたメールアドレスへ電子メールで静止画像を送信する。音声通話接続情報用メモリ２５は携帯電話端末への接続情報を予め記憶させておくためのメモリである。音声通話接続部１９は、音声通話接続情報用メモリ２５を参照し、インターホンと携帯電話端末間の音声通話を行うために接続を行う。インターホン携帯電話音声通話部２０は、携帯電話端末と既設インターホン装置との間で音声通話を行うためのものである。
【００３６】
上述した構成により、呼鈴音検出センサ２で検出した音はインターホン本体部１に伝えられる。インターホン本体部１は、カメラによる来訪者の画像撮影及び編集処理、携帯電話端末への電子メール送信処理、携帯電話端末と来訪者との音声通話処理が可能となっている。
【００３７】
制御プログラム自動ダウンロード判定部２１は、インターホン装置を制御するための制御プログラムを自動更新するために用いられる。制御プログラムバージョン管理サーバ情報用メモリ２３は、制御プログラムのバージョンを管理するサーバ（図示せず）との接続情報を予め記憶させておくためのメモリである。制御プログラム自動ダウンロード判定部２１は、制御プログラムバージョン管理サーバ情報用メモリ２３を参照し、この情報に基づきサーバとの接続処理を行う。
【００３８】
そして、制御プログラム自動ダウンロード判定部２１は、サーバで管理されている自身の制御プログラムとのバージョンの比較を行う。サーバに保持しているプログラムの方が新しいバージョンであった場合には、サーバから当該インターホン装置への制御プログラムのダウンロードを行う。また、ＣＰＵ１１における処理の履歴をタイムスタンプ付きで記録するために動作記録用メモリ２６を有する。
【００３９】
なお、上述した本実施の形態では、制御プログラム自動ダウンロード判定部２１，制御プログラムバージョン管理サーバ情報用メモリ２３，動作記録用メモリ２６を含む構成を示しているが、これらは必要に応じて設ける構成としてもよい。
【００４０】
次に、本発明を実施するための最良の形態の動作について図面を参照して説明する。 図３は本発明の実施の形態の動作を説明するためのフローチャートである。図１〜図３を参照して動作を説明する。
【００４１】
始めに、来訪者が既設インターホン装置３の呼鈴ボタン３１を押下すると、インターホン本体部３２を介し呼鈴音鳴動部３３が鳴動する。これにより呼鈴ボタン３１が押下されたということを呼鈴音検出センサ２で検出し、呼鈴音認識部１４にて電気信号に置き換える（ステップ１：Ｓ１と略称、以下同様）。呼鈴音認識部１４により検出した信号は、カメラ画像撮影部１５と電子メール音声通話処理判定部１７へ同時に伝えられる。そして、カメラ画像撮影部１５の指示に基づきカメラ３１を用いて静止画像の撮影と携帯電話端末への画像送信を行うための回線接続処理及び電子メール送信処理が並行して行われる。
【００４２】
静止画像を撮影するための回数、撮影時間間隔は予めカメラ画像撮影情報用メモリ２２に記憶されている。この情報を用いて指定された時間間隔と指定された枚数の静止画像が撮影される（Ｓ２）。撮影が完了すると、この画像をカメラ画像編集部１６は、撮影受信する（Ｓ３）。次に、カメラ画像撮影情報用メモリ２２に予め記憶されている情報に基づき、携帯電話端末の表示部に表示可能な静止画像に編集する（Ｓ４）。
【００４３】
一方、電子メール音声通話処理判定部１７では、電子メール送信先接続情報メモリ２４に予め記憶されている情報に基づきメール送信の要否判定を行う（Ｓ５）。「電子メールが不要」という内容であれば、電子メールでの送信処理は行わずに、音声通話接続部１９により音声通話接続処理を行う。電子メール送信先接続情報メモリ１８に予め記憶されている情報が「電子メールが必要」という情報であれば、電子メール送信部１８により電子メールへの送信処理が行われる。電子メール送信部１８では、カメラ画像編集部１５における静止画像の編集が終了していれば即時に電子メールの送信処理を行う。
【００４４】
静止画像の編集が終了していない場合は、編集が終了次第電子メールの送信処理を行う（Ｓ６）。カメラ画像の撮影・編集と電子メール送信処理を並行して行うことにより、電子メール送信完了までに時間を短縮可能とする。電子メール送信部１８による送信処理が終了すると、音声通話接続部１９による音声通話処理が行われる（Ｓ７）。音声通話接続に必要な情報は音声通話接続情報用メモリ２５に予め設定されている。次に、音声通話接続部１９によって音声通話回線が接続されると、インターホン携帯電話音声通話部２０によって、既設インターホン装置３のマイク３５とスピーカ３６を用いて携帯電話端末との通話ができるようになる（Ｓ８）。
【００４５】
また、制御プログラム自動ダウンロード判定部２１は、制御プログラムバージョン管理サーバ情報用メモリ２３に予め記憶されているサーバとの接続時刻に達するとサーバとの電話回線接続を行う。制御プログラム自動ダウンロード判定部２１は、制御プログラムバージョン管理サーバ情報用メモリ２３に予め記憶されているサーバへのログイン・パスワード情報に基づき、ログインを行う。
【００４６】
ログインが完了すると、サーバに管理されている制御プログラムのバージョン情報と自身のバージョンとを比較する。制御プログラム自動ダウンロード判定部２１は、サーバで管理されているバージョンが更新されている場合には、サーバより最新の制御プログラムを当該のインターホン装置にダウンロードする。これにより、インターホン機能を更新する場合、インターホン装置を交換することや、内蔵のプログラムを交換する必要がなくなる。
【００４７】
動作記録用メモリ２６は、インターホン本体部１における各々の処理の履歴をタイムスタンプ付きで記録する。これにより、家人が後で来訪者との応対内容を確認することが可能となる。
【図面の簡単な説明】
【００４８】
【図１】本発明の実施の形態を示す構成図である。
【図２】図１におけるインターホン装置の内部構成の詳細を示す図である。
【図３】本発明の実施の形態の動作を説明するためのフローチャートである。
【図４】従来のインターホン装置の構成例を示す図である。
【図５】従来のインターホン装置の他の構成例を示す図である。
【符号の説明】
【００４９】
１    インターホン本体部
２    呼鈴音検出センサ
３    既設インターホン装置
１０    インターホン装置
１１    ＣＰＵ
１２    バス
１３    制御プログラム用メモリ
１４    呼鈴音認識部
１５    カメラ画像撮影部
１６    カメラ画像編集部
１７    電子メール音声通話処理判定部
１８    電子メール送信部
１９    音声通話接続部
２０    インターホン携帯電話音声通話部
２１    制御プログラム自動ダウンロード判定部
２２    カメラ画像撮影情報用メモリ
２３    制御プログラムバージョン管理サーバ情報用メモリ
２４    電子メール送信先接続情報用メモリ
２５    音声通話接続情報用メモリ
２６    動作記録用メモリ
２７    タイマ部
３１    呼鈴ボタン
３２    インターホン本体部
３３    呼鈴音鳴動部
３４    カメラ
３５    マイク
３６    スピーカ
【図１】
2006094366.tif 000003
【図２】
2006094366.tif 000004
【図３】
2006094366.tif 000005
【図４】
2006094366.tif 000006
【図５】
2006094366.tif 000007